(57)【要約】【課題】シートベルトを必要に応じて交換などができるとともに、適用可能範囲を拡大する。【解決手段】着座した乳児を椅子５１の凹状座部５２上に拘束するベルト部材２１を備えたシートベルト１１において、ベルト部材２１における椅子５１の表面に対して固定すべき端末部に、偏平形状の固定部材３１を保持し、固定部材３１の片面に突起部３４を立設する。一方、椅子５１は発泡樹脂の成形により形成し、柔軟性と可撓性を持たせる。前記突起部３４を先鋭に形成し、凹状座部５２の表面から突き刺して裏面に突き出た突起部３４の先端側部分に、留め部材４１を係止して、固定部材３１の固定状態を保持する構成とする。【選択図】図１
2014050449.tif 000002
【特許請求の範囲】
【請求項１】
着座した乳児を椅子の座面上に拘束するベルト部材を備えたシートベルトであって、
前記ベルト部材における前記椅子の表面に対して固定すべき端末部に、偏平形状の固定部材が保持され、
該固定部材の片面には突起部が立設されるとともに、
前記椅子を貫通して裏面から突き出た前記突起部を保持する留め部材を備えた
シートベルト。
【請求項２】
前記留め部材が、前記突起部の挿入を許容する挿入部を有する
請求項１に記載のシートベルト。
【請求項３】
前記固定部材の突起部が、外周方向に張り出す拡径部を先端部に有し、
前記留め部材が、前記拡径部の下側に係止する係止部を有する
請求項１または請求項２に記載のシートベルト。
【請求項４】
前記固定部材の突起部の先端に、前記椅子に対して穿孔する先鋭の穿孔部が形成された
請求項１から請求項３のうちのいずれか一項に記載のシートベルト。
【請求項５】
前記留め部材が、前記突起部の挿入を許容する挿入部を有する筒状の筒状部と、該筒状部の一端から外周方向に張り出す板状の鍔部を有した
請求項１から請求項４のうちのいずれか一項に記載のシートベルト。
【請求項６】
前記留め部材が合成樹脂製であるとともに、
前記筒状部に、筒状部の拡径変形を許容するスリットが形成された
請求項５に記載のシートベルト。
【請求項７】
前記請求項１から請求項６のうちのいずれか一項に記載のシートベルトを備えた
乳児用椅子。
【請求項８】
発泡樹脂からなる成形品であり、柔軟性と可撓性を有し、
前記請求項１から請求項６のうちのいずれか一項に記載のシートベルトを備えた
乳児用椅子。
【発明の詳細な説明】
【技術分野】
【０００１】
この発明は、乳児用椅子に使用されるシートベルトに関し、より詳しくは、交換が可能にできるとともに、背もたれ部分に隙間がない椅子にも固定可能であるような、シートベルト及びこれを備えた乳児用椅子に関する。
【背景技術】
【０００２】
乳児用椅子では、乳児が椅子から転落したり、危険な方向に勝手に移動したりしないように、シートベルトが備えられている。このシートベルトは、乳児の腰部分を拘束する左右２本の平紐状のベルトと、乳児の下腹部を拘束する１本の紐状のベルトと、これらを乳児の腹部上で着脱可能に連結する係合手段とで構成され、３本のベルトの端末部はリベット等の適宜手段によって椅子に直接固定されている。
【０００３】
しかし、ベルトの端末部を椅子に直接固定する構成であるので、強固な固定ができるものの、ベルトが損傷したり汚れたりしたときに交換ができない。
【０００４】
この点、下記特許文献１のように、携帯性を有し、外出先の適宜の椅子に乳児を固定できるようにする固定具がある。この固定具は、複数のベルトからなり、１本のベルトを椅子の背もたれ部に対して環状に掛け回して、このベルトに対して他のベルトを固定する構造であるので、ベルトの掛け回しができるような椅子でないと、固定ができない。例えば、下記特許文献２に開示されているように背もたれ部分に隙間がない椅子には使用できない。
【先行技術文献】
【特許文献】
【０００５】
【特許文献１】特開２００６−１８７４２３号公報
【特許文献２】特表２００２−５４２８５６号公報
【発明の概要】
【発明が解決しようとする課題】
【０００６】
そこで、この発明は、必要に応じて交換可能にできるとともに、背もたれ部分に隙間がない椅子にも固定が行えるようにすることを主な目的とする。
【課題を解決するための手段】
【０００７】
そのための第１の手段は、着座した乳児を椅子の座面上に拘束するベルト部材を備えたシートベルトであって、前記ベルト部材における前記椅子の表面に対して固定すべき端末部に、偏平形状の固定部材が保持され、該固定部材の片面には突起部が立設されるとともに、前記椅子を貫通して裏面から突き出た前記突起部を保持する留め部材を備えたシートベルトである。
【０００８】
この構成では、ベルト部材の端末部に保持された固定部材の突起部を、椅子の座面部分の表面から裏面に向けて貫通させて、突起部における椅子の裏面に突出した部分に留め部材を保持すれば、ベルト部材が椅子に対して一体に固定される。突起部が貫通する部分は貫通穴があらかじめ形成されていても、貫通時に貫通穴が形成されるものでも、いずれでもよい。固定部材は偏平形状であるので、座面部分に存在しても、着座する幼児に異物感を与えない。また、留め部材を突起部から外せばシートベルトが椅子から分離可能であり、シートベルトの交換や洗浄等に便利である。固定部材は貫通穴を用いて固定するので、構成が簡素で、ベルトを通す隙間のない椅子に対する固定も可能である。貫通穴さえ形成できれば、シートベルトを既存の椅子に固定する、後付けも可能である。
【０００９】
課題を解決するための第２の手段は、前記シートベルトを備えた乳児用椅子である。
【発明の効果】
【００１０】
この発明によれば、シートベルトは必要に応じて交換が可能にできるので、損傷したり汚れたりしたときに、新品と交換したり洗浄したりして、シートベルトの損傷があっても、椅子としての使用を継続できるようにすることができる。
【００１１】
また、固定部材が偏平形状であり、貫通穴を介して固定できるので、背もたれ部分にベルトを通す隙間がない椅子にも固定が行える。必要であれば、既存の椅子に対して後付することも可能であり、汎用性を高めることもできる。
【図面の簡単な説明】
【００１２】
【図１】シートベルトと椅子の一体化前の状態の平面図。
【図２】椅子の正面図。
【図３】シートベルトを備えた椅子の平面図。
【図４】固定部材と留め部材の構造を示す側面図、平面図、断面図。
【図５】シートベルトの固定作業を説明する側面図。
【図６】他の例に係るシートベルトの固定部材と留め部材を示す平面図と片側断面図。
【図７】図６のシートベルトの固定作業を説明する側面図。
【図８】他の例に係るシートベルトの固定部材と固定作業を説明する側面図。
【図９】他の例に係るシートベルトの固定部材と固定作業を説明する側面図。
【発明を実施するための形態】
【００１３】
この発明を実施するための一形態を、以下図面を用いて説明する。  
図１は、シートベルト１１と乳児用椅子５１（以下、「椅子」という）の分離状態（固定前）の平面図であり、図２は椅子５１の正面図、図３はシートベルト１１を備えた椅子５１の平面図である。
【００１４】
まず、椅子５１の構成について簡単に説明したのち、シートベルト１１の構成について説明する。
【００１５】
椅子５１は、樹脂の一体成形で形成され、全体が柔軟であるとともに、一部に力を加えると撓んで他の部分まで変位する可撓性を有している。
【００１６】
その形状は、全体が臼のような脚のない形であり、乳児の臀部を中心とする部位をのせる凹状の凹状座部５２と、この凹状座部５２の外周位置で凹状座部を支持する支持部５３とを有する。
【００１７】
凹状座部５２は、底が凹球面状で、全周に内壁面５４を有する形状である。凹状座部５２の底の湾曲は、乳児の臀部の湾曲よりも大きく設定するのが好ましい。
【００１８】
凹状座部５２のうちの前方側部分には、凹状座部５２に着座した乳児の脚を凹状座部５２から出すための２つの切欠部５５が形成されている。これら２つの切欠部５５の間には、底から立ち上がって、乳児の腹部に対向する腹部対向部５６が立設されている。
【００１９】
凹状座部５２の後方側部分の上端部には、乳児の背中を支持する高さの背もたれ部５７が立設されている。
【００２０】
前記支持部５３は、凹状座部５２の上端縁から下方に折り返して形成され、下端の全周に、円形の接地面５８を有している。凹状座部５３の全体は、略一定の厚さである。
【００２１】
このような形状の椅子５１は、樹脂のなかでも、例えばポリウレタン等の発砲樹脂を用いて形成すると、乳児に対する当たりの柔らかさと、所望の可撓性の両方の性質を持たせることができる。
【００２２】
成形は、周知の発泡射出成形で行う。所望の可撓性をも持たせるには、表面の質を内部のそれと異ならせる低発泡成形法（ＳＦ成形法）で行うとよい。例えばガス・カウンター・プレッシャ法、ＳＳＭ法、コ・インジェクション法等を採用できるが、コ・インジェクション法を用いて、内面層に発泡樹脂、表面層に発泡樹脂でない非発泡性樹脂が位置するように構成すると、より良い可撓性と表面特製が付与できる。
【００２３】
前記シートベルト１１は、前記椅子５１に着座した乳児を前記凹状座部５２の上に拘束するためのもので、図１に示したように、ベルト部材２１と、このベルト部材２１の端末部に固定された３個の固定部材３１と、これら固定部材３１の椅子５１に対する固定状態を保持する留め部材４１を備えている。ベルト部材２１の３個の端末部は、前記椅子５１の凹状座部５２の表面に対して固定される部分である。
【００２４】
前記ベルト部材２１は、平紐状をなす３本のベルト２２，２３と、これらを着脱可能に連結する結合部材２４を有する。３本のベルト２２，２３のうちの１本のベルト２２は、乳児の左右の大腿部間に挟まれる位置に上下方向に延びるもので、上端に、前記結合部材２４の一部である被係合部材２４ａを有している。被係合部材２４ａは、前記結合部材２４の一部である係合部材２４ｂを差し込む差し込み部を左右両側に備えている。
【００２５】
３本のベルト２２，２３のうちの他の２本のベルト２３，２３は、乳児の腰部分の左右をそれぞれ拘束するもので、先端には前記係合部材２４ｂを有する。また、長手方向の中間部には、ベルトの実質的長さを調節する長さ調節用のスライド調節具２５が備えられている。
【００２６】
前記固定部材３１は、前記３本のベルト２２，２３の端末部に保持されるもので、硬質の合成樹脂で形成されている。固定部材３１は、図１に示したように前記ベルト２２，２３よりも幅広で、図４（ａ）に示したように薄い、偏平な形状に形成されている。固定部材３１の一端にはベルトを通す挿通穴３２が形成され、固定部材３１の他端は、平面視略円弧状に湾曲する湾曲辺３３が形成されている。
【００２７】
固定部材３１の片面（椅子５１に接する面）における前記挿通穴３２と湾曲辺３３との間には、突起部３４が立設されている。突起部３４の長さは、椅子５１の凹状座部５２に対して突き刺したときに先端側の部分が裏面から所定量突出する長さである。
【００２８】
この突起部３４の先端部には、外周方向に張り出す拡径部３５を有し、この拡径部３５より先端には、前記椅子５１に対して穿孔する先鋭の穿孔部３６が形成されている。穿孔部３６は円錐状である。円錐状のほか、角錐状などであってもよい。
【００２９】
前記留め部材４１は、前記椅子５１の裏面において、表面から貫通して裏面に突き出た前記突起部３４を保持するもので、合成樹脂で構成されている。留め部材は、図１、図４（ｂ）、図４（ｃ）に示したような偏平な円板状の本体部４２と、この本体部４２の片面（椅子５１に接する面と反対側の面）に一体に形成された円筒状の筒状部４３を有し、筒状部４３内の穴に前記本体部４２から貫通する挿入部４４を有している。換言すれば、筒状部４３の一端に外周方向に張り出す板状の本体部４２を有した形状である。前記挿入部４４は、前記固定部材３１における突起部３４の挿入を許容する部分である。
【００３０】
前記突起部３４は、拡径部３５を有するので、留め部材４１の筒状部４３の内周面には、前記拡径部３５の下側に係止する係止部４５を有している。係止部４５は、突起部３４を抜け止め可能に保持するためのもので、図４（ｃ）に示したように、外周方向に広がる段部で構成される。この係止部４５よりも先端側は、前記突起部３４の穿孔部３６を収容できる長さに設定されている。
【００３１】
また、この筒状部４３の先端面から前記本体部４２にわたって、前記突起部３４の挿入に伴う筒状部４３の拡径変形を許容するために、筒状部４３の中心、つまり前記挿入部４４の中心点を中心にして十字状のスリット４６が形成されている。このスリット４６は、本体部４２の径方向の中間位置までのびる長さに設定されている。
【００３２】
このようなスリット４６の存在によって、突起部３４を挿入部４４に挿入したときに、図４（ｄ）に仮想線で示したように筒状部４３は拡径方向に変形し、突起部３４の拡径部３５が係止部４５を越えた時点で、筒状部４３が弾性復帰によって元の形状に戻って、突起部３４の抜け止めがなされる。
【００３３】
なお、図４（ｄ）は図４（ｃ）のＡ−Ａ断面図である。
【００３４】
また、留め部材４１の本体部４２における筒状部４３を有しない側の角部分には、断面円弧状の角アール部４７が形成されて、角のない状態にされている。一方、本体部４２における挿入部４４の口縁には、椅子５１に接する面側ほど大径となるテーパ面４８が形成されている。
【００３５】
このように構成されたシートベルト１１は、ベルト部材２１に保持された３か所の固定部材３１を、図１に示したように、椅子５１の所定の位置に固定する。被係合部材２４ａを備えたベルト２２の固定部材３１は、椅子５１の凹状座部５２のうちの腹部対向部５６側に固定し、係合部材２４ｂを備えた２本のベルト２３の固定部材は、凹状座部５２のうちの後部側の左右の離れた位置に固定する。固定は図５に示したように行う。３個の固定部材３１の固定は、いずれも同じである。
【００３６】
つまり、椅子５１における凹状座部５２の所定位置に対して、凹状座部５２の表面から裏面に向けて固定部材３１の突起部３４を突き刺し（図５（ａ）参照）、凹状座部５２の裏面から突き出た突起部３４の先端側部分に留め部材４１を挿嵌して保持する。
【００３７】
椅子５１の素材が柔軟なものであり、突起部３４は穿孔部３６を有する構造であるので、突起部３４が入る穴を椅子５１にあらかじめ形成しておく必要はなく、固定作業は容易である。また、留め部材４１は挿入部４４を有する構造であって、挿嵌すれば保持が完了するので、この点からも、固定のための作業はきわめて容易となる。
【００３８】
固定部材３１の固定状態では、固定部材３１の一端の挿入穴３２はベルト２２，２３よりも幅広であるのでベルト２２，２３を幅方向に縮めるようなことなく広げた状態できれいに保持でき、固定部材３１の他端の湾曲辺３３は、椅子５１の凹状座部５２の表面に優しく当たって、椅子５１の損傷を回避する。留め部材４１の挿入部４４の口縁には、テーパ面４８が形成されているので、固定部材３１の突起部３４が刺さりやすく、そのうえ突起部３４で穴あけをした場合でも、椅子５１の穴周辺の素材の逃げ場となって、挿入状態を安定させる。また留め部材４１の外周縁の角アール部４７が、椅子５１に対する当たりを和らげて、椅子５１の損傷を回避する。
【００３９】
このようなシートベルト１１を備えた椅子５１では、乳児を座らせてシートベルト１１を留めると、乳児は勝手に椅子５１から出たり、移動したりすることができず、安全を確保できる。
【００４０】
また、固定部材３１は偏平形状であるので、凹状座面５２に存在しても、着座する幼児に異物感を与えず、快適な着座状態を得られる。
【００４１】
さらに、固定部材３１は貫通穴を用いて固定するので、構成が簡素で、前記の椅子５１のようにベルトを通す隙間のない形態の椅子に対しても固定可能である。
【００４２】
そして、シートベルト１１が破損したり汚れたりしたときには、シートベルト１１を外すことができる。外すには、留め部材４１のスリット４６を広げて、拡径部３５の係止を解除して、留め部材４１を固定部材３１の突起部３４から分離する。このため、シートベルト１１を新しいものに交換したり、シートベルト１１をきれいに洗浄したりすることが可能である。この結果、シートベルト１１が損傷したりしても、椅子５１の長期間の使用を可能にできる。
【００４３】
また、シートベルト１１を備えない椅子５１がすでにある場合であって、シートベルト１１が必要な場合には、その椅子５１の凹状座部５２に対して、前述のようにして固定部材３１と留め部材４１を固定して、後付けによりシートベルト１１を有する椅子５１とすることができる。適用可能な椅子５１の形態がさまざまであるので、汎用性が高い。
【００４４】
椅子５１における固定部材３１の固定位置には、固定部材３１の突起部３４を差し込む穴をあらかじめ形成しておいてもよい。
【００４５】
以下、その他の構成例について説明する。この説明において、先の構成と同一又は同等の部位については、同一の符号を付してその詳しい説明を省略する。
【００４６】
図６はシートベルト１１の固定部材３１と留め部材４１を示し、固定部材３１は前記の構成と同一であるが（図６（ａ）参照）、留め部材４１は全体が板状に形成されている。すなわち、略円板状に形成され、中心に挿入部４４を有し、外周縁から挿入部４４にかけて切り込み４９が形成されている。切り込み４９は、外周側ほど幅広に形成されている。
【００４７】
このように構成された留め部材４１を備えたシートベルトでは、図７（ａ）に示したように、固定部材３１の突起部３４を凹状座部５２に突き刺してから、留め部材４１を突起部３４の拡径部３５の下に挟み込むようにして切り込み４９部分から差し込んで、図７（ｂ）に示したように係止を行う。
【００４８】
固定状態において固定部材３１の穿孔部３６は突き出した状態であるが、突き出ている箇所は椅子５１の裏面側であるので、使用にあたって支障はない。
【００４９】
図８に示した固定部材３１は、突起部３４の先端部に拡径部３５を備えるものの、穿孔部３６を有しない構造である。突起部３４の先端３７は丸く形成されている。留め部材４１は図６、図７に示したのと同一構造である。
【００５０】
このため、椅子５１における固定部材３１の突起部３４を挿入する部位には、あらかじめ貫通穴５９が形成されている。
【００５１】
留め部材４１は、図４に示した留め部材４１と同一構造であってもよい。
【００５２】
図９に示した固定部材３１は、突起部３４の外周面に雄ねじ３８を有するもので、先端には穿孔部３６を備えている。椅子５１における固定部材３１の突起部３４を挿入する部位には、仮想線で示したように貫通穴５９を形成しておいても、穿孔部３６で貫通穴５９を形成するようにしても、いずれでもよい。貫通穴５９を形成しておく場合には、穿孔部３６を省略してもよい。
【００５３】
留め部材４１は、図４に示した留め部材４１と同様に本体部４２と筒状部４３を有し、筒状部４３内の挿入部４４の内周面には、挿入部４４の長手方向全体にわたって、固定部材３１の突起部３４の雄ねじ３８に螺合可能な雌ねじ４４ａが形成されている。
【００５４】
このような固定部材３１と留め部材４１を有する構成では、シートベルト１１を椅子５１に固定するときには、固定部材３１の突起部３４を椅子５１に挿した後で、留め部材４１を突起部３４に螺合する。シートベルト１１を椅子５１から外すときには、留め部材４１を回転して螺合状態を解除する。
【００５５】
螺合操作によってシートベルト１１の着脱が行えるので、特に外す作業が容易である。
【００５６】
これらのような構成のシートベルト１１と、このシートベルト１１を備えた椅子５１でも、前記と同様に作用効果を達成する。
【００５７】
この発明の構成と、前記一形態の構成との対応において、  
この発明の座面は、前記凹状座部５２に対応し、  
同様に、
この発明の鍔部は、前記本体部４２に対応するも、  
この発明は前記の構成のみに限定されるものではなく、その他の形態を採用することができる。
【００５８】
例えば、椅子は、丸く湾曲した凹状座部を有しない、一般的な平らな座面を有する椅子であってもよい。
【００５９】
また、留め部材は、固定部材の突起部の挿入を許容する挿入部を有するものではなく、例えば突起部の先端部に差し込んで突起部の先端部を拡大させて抜け止めするような構成など、適宜の形状に形成することができる。
【符号の説明】
【００６０】
１１…シートベルト
２１…ベルト部材
３１…固定部材
３４…突起部
３５…拡径部
３６…穿孔部
４１…留め部材
４２…本体部
４３…筒状部
４４…挿入部
４５…係止部
４６…スリット
５１…乳児用椅子
５２…凹状座部
【図１】
2014050449.tif 000003
【図２】
2014050449.tif 000004
【図３】
2014050449.tif 000005
【図４】
2014050449.tif 000006
【図５】
2014050449.tif 000007
【図６】
2014050449.tif 000008
【図７】
2014050449.tif 000009
【図８】
2014050449.tif 000010
【図９】
2014050449.tif 000011